【手続補正書】
【提出日】平成20年6月20日(2008.6.20)
【手続補正１】
【補正対象書類名】明細書
【補正対象項目名】発明の名称
【補正方法】変更
【補正の内容】
【発明の名称】医療用保持装置及び医療装置
【手続補正２】
【補正対象書類名】明細書
【補正対象項目名】特許請求の範囲
【補正方法】変更
【補正の内容】
【特許請求の範囲】
【請求項１】
手術に使用される医療機器を保持する医療用保持装置において、
前記医療機器を保持可能な保持部を先端に有する第１のアームと、
前記医療機器を保持可能な保持部を先端に有する、前記第１の保持アームと長さの異なる第２の保持アームと、
前記第１の保持アームまたは前記第２の保持アームのいずれか一方を着脱可能なアーム接続部と、
前記アーム接続部を先端に有し、回動自在なリンクアームを中間部に有する医療機器ホルダと、
前記医療機器ホルダを所望の場所に設置するために、前記医療機器ホルダの基端に連結されたベースと、
前記リンクアームに接続された前記保持アームによって保持された前記医療機器を所望空間位置で重量を相殺するために、前記リンクアームに移動自在に設けられたカウンタウェイトと、
前記リンクアームに接続された前記保持アームに設けられた被判別部を判別する判別手段と、
前記判別手段の判別結果に基づき、前記カウンタウェイトの移動を制御する移動制御手段と、
を具備したことを特徴とする医療用保持装置。
【請求項２】
前記判別手段が前記医療機器の種別を更に判別することを特徴とする請求項１に記載の医療用保持装置。
【請求項３】
手術に使用される医療機器を保持する医療用保持装置において、
前記医療機器を保持可能な保持部を先端に有する保持アームと、
前記保持アームを着脱可能なアーム接続部と、
前記アーム接続部を先端に有し、回動自在なリンクアームを中間部に有する医療機器ホルダと、
前記医療機器ホルダを所望の場所に設置するために、前記医療機器ホルダの基端に連結されたベースと、
前記リンクアームに接続された前記保持アームによって保持された前記医療機器を所望空間位置で重量を相殺するために、前記リンクアームに移動自在に設けられたカウンタウェイトと、
前記医療機器に設けられた被判別部を判別する判別手段と、
前記判別手段の判別結果に基づき、前記カウンタウエイトの移動を制御する移動制御手段と、
を具備したことを特徴とする医療用保持装置。
【請求項４】
複数の医療機器で構成される医療システムに使用可能な医療装置において、
組み合わせて使用される前記複数の医療機器からの識別情報を受信可能なアンテナと、
前記アンテナで受信された識別情報に基づき、使用される医療機器の組み合わせ状態を判断する組み合わせ状態判別手段と、
前記組み合わせ状態判別手段の判別結果に基づき、所定の動作状態に制御する制御手段と、
を具備したことを特徴とする医療装置。
【手続補正３】
【補正対象書類名】明細書
【補正対象項目名】０００１
【補正方法】変更
【補正の内容】
【０００１】
【発明の属する技術分野】
本発明は、主に医療現場で使用される医療機器をセッティングするために医療機器を保持する医療用保持装置、及び医療機器のセットアップを容易かつ迅速に行うことを可能とした医療装置に関する。
【手続補正４】
【補正対象書類名】明細書
【補正対象項目名】０００７
【補正方法】変更
【補正の内容】
【０００７】
（発明の目的）
本発明は、これらの事情に鑑みてなされたもので、医療機器のセッティングを容易にした医療用保持装置及び医療装置を提供することを目的とする。
【手続補正５】
【補正対象書類名】明細書
【補正対象項目名】０００８
【補正方法】変更
【補正の内容】
【０００８】
【課題を解決するための手段】
請求項１に記載の医療用保持装置は、手術に使用される医療機器を保持する医療用保持装置において、前記医療機器を保持可能な保持部を先端に有する第１のアームと、前記医療機器を保持可能な保持部を先端に有する、前記第１の保持アームと長さの異なる第２の保持アームと、前記第１の保持アームまたは前記第２の保持アームのいずれか一方を着脱可能なアーム接続部と、前記アーム接続部を先端に有し、回動自在なリンクアームを中間部に有する医療機器ホルダと、前記医療機器ホルダを所望の場所に設置するために、前記医療機器ホルダの基端に連結されたベースと、前記リンクアームに接続された前記保持アームによって保持された前記医療機器を所望空間位置で重量を相殺するために、前記リンクアームに移動自在に設けられたカウンタウェイトと、前記リンクアームに接続された前記保持アームに設けられた被判別部を判別する判別手段と、前記判別手段の判別結果に基づき、前記カウンタウェイトの移動を制御する移動制御手段と、を具備したことを特徴とする。
【手続補正６】
【補正対象書類名】明細書
【補正対象項目名】０００９
【補正方法】変更
【補正の内容】
【０００９】
請求項３に記載の医療用保持装置は、手術に使用される医療機器を保持する医療用保持装置において、前記医療機器を保持可能な保持部を先端に有する保持アームと、前記保持アームを着脱可能なアーム接続部と、前記アーム接続部を先端に有し、回動自在なリンクアームを中間部に有する医療機器ホルダと、前記医療機器ホルダを所望の場所に設置するために、前記医療機器ホルダの基端に連結されたベースと、前記リンクアームに接続された前記保持アームによって保持された前記医療機器を所望空間位置で重量を相殺するために、前記リンクアームに移動自在に設けられたカウンタウェイトと、前記医療機器に設けられた被判別部を判別する判別手段と、前記判別手段の判別結果に基づき、前記カウンタウエイトの移動を制御する移動制御手段と、を具備したことを特徴とする。
【手続補正７】
【補正対象書類名】明細書
【補正対象項目名】００１０
【補正方法】変更
【補正の内容】
【００１０】
請求項４に記載の医療装置は、複数の医療機器で構成される医療システムに使用可能な医療装置において、組み合わせて使用される前記複数の医療機器からの識別情報を受信可能なアンテナと、前記アンテナで受信された識別情報に基づき、使用される医療機器の組み合わせ状態を判断する組み合わせ状態判別手段と、前記組み合わせ状態判別手段の判別結果に基づき、所定の動作状態に制御する制御手段と、を具備したことを特徴とする。
【手続補正８】
【補正対象書類名】明細書
【補正対象項目名】００１１
【補正方法】変更
【補正の内容】
【００１１】
【発明の実施の形態】
以下、図面を参照して本発明の実施の形態を説明する。  
（第１の実施の形態）
図１ないし図４は本発明の第１の実施の形態に係り、図１は第１の実施の形態のスコープホルダ装置を備えた内視鏡装置の全体構成を示し、図２は被判別部である非接触型ＲＦ−ＩＤの概略の構成を示し、図３はスコープホルダ制御ユニット等の電気系の構成を示し、図４は第１の実施の形態の動作内容を示す。
【手続補正９】
【補正対象書類名】明細書
【補正対象項目名】００１２
【補正方法】変更
【補正の内容】
【００１２】
図１に示す内視鏡装置１は本発明の医療用保持装置の第１の実施の形態のスコープホルダ装置（内視鏡ホルダ装置）２と、このスコープホルダ装置２を構成するスコープホルダ３（医療機器ホルダ）により保持され、ＴＶカメラ４が装着された内視鏡５と、内視鏡５に照明光を供給する光源装置６と、ＴＶカメラ４に内蔵された撮像素子に対する信号処理を行うカメラコントロールユニット（以下、ＣＣＵと略記）７と、このＣＣＵ７から出力される映像信号を表示するモニタ８とを有し、前記スコープホルダ３は接続ケーブル９により接続されたスコープホルダ制御ユニット１０により制御されるようになっている。
【手続補正１０】
【補正対象書類名】明細書
【補正対象項目名】００１３
【補正方法】変更
【補正の内容】
【００１３】
スコープホルダ３は、図示しないベッドに取り付けて設置するベース１１を有し、このベース１１には支柱１２が上方向に旋回可能に取り付けられている。
この支柱１２の上端には、バランス機構を設けた回動自在の平行四辺形リンク１３が取り付けられている。この平行四辺形リンク１３（リンクアーム）の上端から略水平方向に延出した端部のアーム接続部１４には、短いアーム形状のショートアーム１５ａ（第１の保持アーム）又は長いアーム形状のロングアーム１５ｂ（第２の保持アーム）の後端の接続部１６が着脱可能に取り付けらるようになっている。
【手続補正１１】
【補正対象書類名】明細書
【補正対象項目名】００２５
【補正方法】変更
【補正の内容】
【００２５】
次に、図３を用いてスコープホルダ制御ユニット１０及びスコープホルダ３の電気系の構成を説明する。スコープホルダ３に設けられたアンテナ３１は、スコープホルダ制御ユニット１０に内蔵されているＩＤ解析部４１（判別手段）に接続されている。
【手続補正１２】
【補正対象書類名】明細書
【補正対象項目名】００７４
【補正方法】変更
【補正の内容】
【００７４】
以上説明したように本発明によれば、医療機器のセッティングを容易にできる効果を有する。
【手続補正１３】
【補正対象書類名】明細書
【補正対象項目名】００７５
【補正方法】削除
【補正の内容】